(57)【特許請求の範囲】
【請求項１】
コンタクトガラスに載置された原稿を押さえる圧板と、前記コンタクトガラスに沿って移動する走査ユニットを備え前記原稿の画像を読み取る画像読取部とを有する画像読取装置において、
前記走査ユニットを固定するロックピンに連結されて前記圧板上に架け渡されたワイヤを備えることを特徴とする画像読取装置。
【請求項２】
コンタクトガラスに載置された原稿を押さえる圧板と、前記コンタクトガラスに沿って移動する走査ユニットを備え前記原稿の画像を読み取る画像読取部と、印刷用紙に読み取られた前記画像を形成する画像形成部とを有する画像形成装置において、
前記走査ユニットを固定するロックピンに連結されて前記圧板上に架け渡されたワイヤを備えることを特徴とする画像形成装置。
【請求項３】
コンタクトガラスに沿って移動する走査ユニットを備え前記コンタクトガラスに載置された原稿の画像を読み取る画像読取部を有する画像読取装置において、
前記走査ユニットを固定するロックピンに連結されたワイヤと、前記ワイヤに取り付けられ且つ前記画像読取装置の電源プラグを覆うタグと、
を備えることを特徴とする画像読取装置。
【請求項４】
コンタクトガラスに沿って移動する走査ユニットを備え前記コンタクトガラスに載置された原稿の画像を読み取る画像読取部と、印刷用紙に読み取られた前記画像を形成する画像形成部とを有する画像形成装置において、  前記走査ユニットを固定するロックピンに連結されたワイヤと、前記ワイヤに取り付けられ且つ前記画像読取装置の電源プラグを覆うタグと、
を備えることを特徴とする画像形成装置。
【請求項５】
コンタクトガラスに沿って移動する走査ユニットを備え前記コンタクトガラスに載置された原稿の画像を読み取る画像読取部を有する画像読取装置において、
前記走査ユニットを固定するロックピンに連結されたワイヤと、前記ワイヤに取り付けられ且つ前記画像読取装置の電源スイッチを覆うタグと、
を備えることを特徴とする画像読取装置。
【請求項６】
コンタクトガラスに沿って移動する走査ユニットを備え前記コンタクトガラスに載置された原稿の画像を読み取る画像読取部と、印刷用紙に読み取られた前記画像を形成する画像形成部とを有する画像形成装置において、  前記走査ユニットを固定するロックピンに連結されたワイヤと、前記ワイヤに取り付けられ且つ前記画像読取装置の電源スイッチを覆うタグと、
を備えることを特徴とする画像形成装置。
【発明の詳細な説明】
【０００１】
【発明の属する技術分野】
本発明は、画像読取装置と、画像形成装置と、画像形成装置に使用される現像マガジンとに関する。
【０００２】
【従来の技術】
従来、原稿の画像を読み取る画像読取部を有する画像読取装置や画像形成装置では、運搬中に走査ユニットが装置内で移動することによる故障を防ぐために、各部をロックしている。
【０００３】
このような画像読取装置や画像形成装置には、例えば、原稿を載置するコンタクトガラスが装置筐体上面に固定的に設けられているものがあり、このような画像読取装置や画像形成装置が有する画像読取部としては、コンタクトガラスの下に二つの走査ユニットを備えるものが一般に広く用いられている。走査ユニットは、装置内に固定的に設けられた結像光学系へ原稿の反射光を導くものであり、コンタクトガラスに沿って移動自在に設けられている。この移動自在な走査ユニットが運搬中に移動しないようにロック部材によって固定されている。
【０００４】
また、例えば、画像形成装置には、トナー等が収納された現像マガジンが着脱自在に取り付けられるものがある。このような現像マガジン内に設けられたトナーケースに形成されているトナーを吐出する開口部は、使用前にはシールで塞がれている。
【０００５】
【発明が解決しようとする課題】
ユーザは使用する前にはこれらのロック部材を取り除かなければならない。しかし、ユーザは、走査ユニットがロック部材で固定されたまま画像形成装置を稼動させてしまうことがあり、この場合には、走査ユニットに駆動力を付与する駆動源であるモータが焼き付いてしまう等の不都合が生じる。
【０００６】
また、ユーザは、現像マガジンの交換等の際、トナーケースの開口部を塞ぐシールを剥がし忘れたまま現像マガジンを装着してしまうことがある。この場合には、トナーが供給されないので用紙に印字されず、ユーザが故障等と誤認することがある。
【０００７】
本発明は、ユーザが使用前に走査ユニットの固定を解除しないことによる故障を防ぐことができる画像読取装置及び画像形成装置を得ることを目的とする。
【０００８】
また本発明は、ユーザがロック部材の除去を忘れることを防止することができる現像マガジンを得ることを目的とする。
【０００９】
【課題を解決するための手段】
請求項１記載の発明の画像読取装置は、コンタクトガラスに載置された原稿を押さえる圧板と、前記コンタクトガラスに沿って移動する走査ユニットを備え前記原稿の画像を読み取る画像読取部とを有する画像読取装置において、前記走査ユニットを固定するロックピンに連結されて前記圧板上に架け渡されたワイヤを備える。
【００１０】
したがって、走査ユニットが固定されたままで圧板が持ち上げられることが防止される。
【００１１】
請求項２記載の発明の画像形成装置は、コンタクトガラスに載置された原稿を押さえる圧板と、前記コンタクトガラスに沿って移動する走査ユニットを備え前記原稿の画像を読み取る画像読取部と、印刷用紙に読み取られた前記画像を形成する画像形成部とを有する画像形成装置において、前記走査ユニットを固定するロックピンに連結されて前記圧板上に架け渡されたワイヤを備える。
【００１２】
したがって、走査ユニットが固定されたままで圧板が持ち上げられることが防止される。
【００１３】
請求項３記載の発明の画像読取装置は、コンタクトガラスに沿って移動する走査ユニットを備え前記コンタクトガラスに載置された原稿の画像を読み取る画像読取部を有する画像読取装置において、前記走査ユニットを固定するロックピンに連結されたワイヤと、前記ワイヤに取り付けられ且つ前記画像読取装置の電源プラグを覆うタグとを備える。
【００１４】
したがって、走査ユニットが固定されたままで電源が接続されることが防止される。
【００１５】
請求項４記載の発明の画像形成装置は、コンタクトガラスに沿って移動する走査ユニットを備え前記コンタクトガラスに載置された原稿の画像を読み取る画像読取部と、印刷用紙に読み取られた前記画像を形成する画像形成部とを有する画像形成装置において、前記走査ユニットを固定するロックピンに連結されたワイヤと、前記ワイヤに取り付けられ且つ前記画像読取装置の電源プラグを覆うタグとを備える。
【００１６】
したがって、走査ユニットが固定されたままで電源が接続されることが防止される。
【００１７】
請求項５記載の発明の画像読取装置は、コンタクトガラスに沿って移動する走査ユニットを備え前記コンタクトガラスに載置された原稿の画像を読み取る画像読取部を有する画像読取装置において、前記走査ユニットを固定するロックピンに連結されたシール部材と、前記シール部材に取り付けられ且つ前記画像読取装置の電源スイッチを覆うタグとを備える。
【００１８】
したがって、走査ユニットが固定されたままで電源が接続されることが防止される。
【００１９】
請求項６記載の発明の画像形成装置は、コンタクトガラスに沿って移動する走査ユニットを備え前記コンタクトガラスに載置された原稿の画像を読み取る画像読取部と、印刷用紙に読み取られた前記画像を形成する画像形成部とを有する画像形成装置において、前記走査ユニットを固定するロックピンに連結されたワイヤと、前記ワイヤに取り付けられ且つ前記画像読取装置の電源スイッチを覆うタグとを備える。
【００２０】
したがって、走査ユニットが固定されたままで電源が接続されることが防止される。
【００２５】
【発明の実施の形態】
本発明のロック部材を備える画像読取装置及び画像形成装置について、画像形成装置を実施の一形態として図１及び図２に基づいて説明する。画像形成装置１は、コンタクトガラス２の下に、第一走査ユニット３及び第二走査ユニット４を備えている。第一走査ユニット３及び第二走査ユニット４は、画像形成装置１内に固定的に設けられている結像光学系５へ原稿６の反射光を導くために、コンタクトガラス２に沿って移動する。
【００２６】
第一走査ユニット３は、原稿６が載置されるコンタクトガラス２に対向する位置に移動自在に支持されており、コンタクトガラス２を介して原稿６に光を照射する光源７と、原稿６からの反射光を第二走査ユニット４へと導くミラー８とを有している。第一走査ユニット３の走査経路の下方には、結像光学系５が固定的に設けられている。
【００２７】
第二走査ユニット４は、二枚のミラー９，１０を有しており、第一走査ユニット３と同方向に且つ第一走査ユニット３の走査速度の１／２の走査速度で移動する。これらのミラー９，１０は内角９０度をなしている。二枚のミラー９，１０のうち、一方のミラー９は第一走査ユニット３のミラー８に対向しており、他方のミラー１０は結像光学系５に対向している。
【００２８】
また、結像光学系５を挾んで第二走査ユニット４と対向する位置には、二枚のミラー１１，１２を有する可動ミラー群１３が設けられている。ミラー１１，１２は内角９０度をなしており、一方のミラー１２は結像光学系５を透過した原稿６の反射光の光路上に位置している。結像光学系５を透過してミラー１１，１２で反射された原稿６の反射光の光路上に、前記反射光を感光体１４へと導く固定ミラー１５が設けられている。
【００２９】
また、コンタクトガラス２の上には、原稿６を押さえる圧板１６が備えられている。
【００３０】
ここで、画像形成装置１がユーザのもとへ届く迄の運搬中には、第一走査ユニット３及び第二走査ユニット４は、画像形成装置１内で移動しないように固定されている。第一走査ユニット３は図１に仮想線で示す右側壁に寄せられた位置にロックピン１７で固定され、第二走査ユニット４は図１に示す左側壁寄りの始点にロックピン１８で固定される。その状態を図２に平面図で示す。
【００３１】
本実施の形態では、ユーザが画像形成装置１の使用前にロックピン１７，１８を取り外すことを忘れないように、ロックピン１７とロックピン１８とを圧板１６上に渡したワイヤ１９で連結し、ワイヤ１９にタグ２０を付ける。タグ２０には、画像形成装置１の使用開始前にワイヤ１９の両端のロックピン１７，１８を取り外さなければならないことをユーザに知らせる文を書いておく。
【００３２】
このような構成において、ユーザは、画像形成装置１の使用前に、ワイヤ１９及びタグ２０とともにロックピン１７，１８を取り外し、第一・第二走査ユニット３，４の固定を解除する。
【００３３】
画像形成装置１を稼動させると、第一走査ユニット３は、図１に実線で示す始点から、原稿６に光を照射しながらコンタクトガラス２に沿って図１における右方向へと移動する。原稿６の反射光は、第一走査ユニット３のミラー８から第二走査ユニット４のミラー９へ、ミラー９からミラー１０へ、そしてミラー１０から結像光学系５へと導かれる。
【００３４】
ここで、第一走査ユニット３の走査速度と第二走査ユニット４の走査速度とは２：１に設定されているので、コンタクトガラス２から第一・第二走査ユニット３，４を介して結像光学系５に至るまでの光路長は、第一・第二走査ユニット３，４が移動しても一定である。
【００３５】
そして、結像光学系５を透過した原稿６の反射光は、可動ミラー群１３及び固定ミラー１５によって感光体１４へと導かれる。
【００３６】
また、可動ミラー群１３を移動させると、結像光学系５から感光体１４までの光路長が変化し、感光体１４上に形成される静電潜像の原稿６の画像に対する倍率が変わる。
【００３７】
本実施の形態では、ロックピン１７，１８をワイヤ１９で連結することによってユーザの注意を喚起してユーザがロックピン１７，１８を見落とすことを防ぐことができ、また、ワイヤ１９を圧板１６上に渡すことによってユーザがロックピン１７，１８を取り外さずに画像形成装置１を使用することを防ぐことができ、さらに、ワイヤ１９にタグ２０を付けることによって画像形成装置１の使用開始前にワイヤ１９の両端のロックピン１７，１８を取り外さなければならないことをユーザに知らせることができる。
【００３８】
なお、本実施の形態ではタグ２０及びワイヤ１９を圧板１６上に位置させているが、実施にあたっては、ワイヤ１９に付けられたタグ２０によって、画像形成装置１の電源プラグ（図示せず）又は電源スイッチ（図示せず）を覆ってもよい。このようにすると、タグ２０及びワイヤ１９を外さなければ画像形成装置１を使用することができないので、上述の実施の形態と同様に、ユーザのロックピン１７，１８への注意を喚起することができる。
【００３９】
次に、本発明の画像形成装置に使用される現像マガジンの実施の一形態について、図３ないし図５に基づいて説明する。なお、画像形成装置の実施の一形態で説明した部分と同一部分は同一符号を用い、説明も省略する。まず、図３は、本実施の形態の現像マガジン２１が装着された画像形成装置１が開放されている状態を示す正面図である。
【００４０】
画像形成装置１は、図３に示すように、上本体２２と下本体２３とからなり、上本体２２と下本体２３とは支点２４において回動自在である。画像形成装置１が図３に示すように開放された状態では、上本体２２はガスダンパ２５によって支えられる。上本体２２には、現像マガジン２１を支持するための支持枠２６が設けられている。また、下本体２３には給紙トレイ２７が設けられている。
【００４１】
図４は、支持枠２６に装着された現像マガジン２１を示す縦断正面図である。支持枠２６には、画像形成装置１の手前から奥へ向かってガイドレール２８が形成されている。現像マガジン２１には、支持枠２６に嵌合する嵌合部であってガイドレール２８に差し込まれるレール受け２９が形成されている。
【００４２】
ここで、感光体１４は現像マガジン２１と別体であって、現像マガジン２１が装着される前に支持枠２６に取り付けられる。現像マガジン２１は、感光体１４を囲むような形状であって、トナーが収納されたトナーケース３０と、現像剤が収納された現像剤ケース３１と、感光体１４にトナーを供給して静電潜像を現像する現像ローラ３２と、感光体１４をクリーニングするクリーニング部３３とを有している。クリーニング部３３は、感光体１４に残ったトナー等を掻き取るクリーニングブレード３４と、掻き取られたトナー等を回収する回収ローラ３５とを備えている。
【００４３】
また、現像マガジン２１には、画像形成装置１を開放した際に感光体１４が露出したりトナーがこぼれたりすることを防ぐシャッタ３６が備えられている。さらに、図５に示すように、感光体１４に対して現像ローラ３２を正確に位置決めするため、支持枠２６に嵌合する嵌合部である位置決めピン３７が現像ローラ３２の回転軸３８の奥側の端部に設けられており、感光体１４の軸中心に嵌合するピン３９が現像マガジン２１の正面側フレーム４０に設けられている。
【００４４】
現像ローラ３２の回転軸３８には、駆動源（図示せず）から駆動力が伝達される動力伝達部であるギヤ４１が取り付けられている。
【００４５】
そして、現像マガジン２１が未使用である場合には、トナーケース３０及び現像剤ケース３１の開口部は、シール４２，４３によってそれぞれ塞がれている（図４参照）。シール４２，４３は、正面側フレーム４０に形成された溝（図示せず）から外部に引き出されて上面４４へ廻され、その先端は上面４４の奥側においてタグ４５で貼り付けられている（図５参照）。
【００４６】
ここで、現像マガジン２１内ではシール４２，４３が弛むように、シール４２，４３に余裕長さを持たせている。さらに、シール４２の余裕長さをシール４３の余裕長さよりも長くしている。
【００４７】
タグ４５は、上面４４の奥側端部から背面側へと廻されていて、背面側に突出している位置決めピン３７及びギヤ４１を覆っている。さらに、タグ４５には、現像マガジン２１を支持枠２６に装着する前にシール４２，４３を引き出さなければならないことをユーザに知らせる文が書かれている。
【００４８】
このようにすれば、タグ４５を剥がさなければ位置決めピン３７が覆われたままであるので現像マガジン２１を支持枠２６に装着することができず、したがって、ユーザがシール４２，４３を剥がし忘れたままで現像マガジン２１を装着することを防止することができる。また、タグ４５を剥がしてシール４２，４３を引き出すことによってトナーケース３０及び現像剤ケース３１の開口部が開放されるが、このとき、シール４２よりもシール４３の方が余裕長さが短い分、早く剥がされ始める。したがって、現像剤ケース３１がトナーケース３０よりも先に開放され、また、シール４２，４３の剥がし始めに要する力が分散するので剥がし易くなる。
【００４９】
なお、本実施の形態では、現像マガジン２１にトナー及び現像剤を収納するためにトナーケースが二つに分けられてトナーケース３０及び現像剤ケース３１が設けられているが、実施にあたっては、一成分のトナーが収納されたトナーケースが一つ設けられた現像マガジンであってもよい。
【００５０】
さらに、本実施の形態では、タグ４５によって嵌合部である位置決めピン３７及び動力伝達部であるギヤ４１を覆っているが、実施にあたっては、タグ４５によって嵌合部であるレール受け２９を覆い、タグ４５が貼り付けられたままではレール受け２９がガイドレール２８に差し込まれないようにしてもよい。
【００５１】
【発明の効果】
請求項１記載の発明では、走査ユニットを固定するロックピンに連結され圧板上に渡されたワイヤを備えるので、走査ユニットが固定されたままでは圧板を持ち上げることが不可能であるため、走査ユニットが固定されたままで画像読取装置を稼動させることによって故障することを防止することができる。
【００５２】
請求項２記載の発明では、走査ユニットを固定するロックピンに連結され圧板上に渡されたワイヤを備えるので、走査ユニットが固定されたままでは圧板を持ち上げることが不可能であるため、走査ユニットが固定されたままで画像形成装置を稼動させることによって故障することを防止することができる。
【００５３】
請求項３記載の発明では、走査ユニットを固定するロックピンが連結されたワイヤに画像読取装置の電源プラグを覆うタグを取り付けるので、走査ユニットが固定されたままで電源が接続されることを防止することができるため、走査ユニットが固定されたままで画像読取装置を稼動させることによって故障することを防止することができる。
【００５４】
請求項４記載の発明では、走査ユニットを固定するロックピンが連結されたワイヤに画像形成装置の電源プラグを覆うタグを取り付けるので、走査ユニットが固定されたままで電源が接続されることを防止することができるため、走査ユニットが固定されたままで画像形成装置を稼動させることによって故障することを防止することができる。
【００５５】
請求項５記載の発明では、走査ユニットを固定するロックピンが連結されたワイヤに画像読取装置の電源スイッチを覆うタグを取り付けるので、走査ユニットが固定されたままで電源が接続されることを防止することができるため、走査ユニットが固定されたままで画像読取装置を稼動させることによって故障することを防止することができる。
【００５６】
請求項６記載の発明では、走査ユニットを固定するロックピンが連結されたワイヤに画像形成装置の電源スイッチを覆うタグを取り付けるので、走査ユニットが固定されたままで電源が接続されることを防止することができるため、走査ユニットが固定されたままで画像形成装置を稼動させることによって故障することを防止することができる。
【図面の簡単な説明】
【図１】本発明の画像形成装置が有する画像読取部の概略的な構造を示す縦断正面図である。
【図２】画像形成装置の実施の一形態を示す平面図である。
【図３】本発明の現像マガジンの実施の一形態が装着された画像形成装置が開放された状態を示す正面図である。
【図４】支持枠に装着された現像マガジンを示す縦断正面図である。
【図５】（ａ）は現像マガジンの平面図、（ｂ）は右側面図である。
【符号の説明】
１        画像形成装置
２        コンタクトガラス
３，４    走査ユニット
１６        圧板
１７，１８  ロックピン
１９        シール部材
２０        タグ
２１        現像マガジン
３０，３１  トナーケース
３２        現像ローラ
３７        嵌合部
４２，４３  シール
４５        タグ
【図１】
0003642503.tif 000002
【図２】
0003642503.tif 000003
【図３】
0003642503.tif 000004
【図４】
0003642503.tif 000005
【図５】
0003642503.tif 000006